(57)【特許請求の範囲】
【請求項１】
発電要素の収容される収容部が複数連なって設けられている電池モジュールであって、
隣接する収容部の隔壁にそれら収容部同士を連通するように設けられた連通孔と、
前記連通孔に設けられ、前記隣接する収容部の内部圧力の差に応じて前記連通孔の開放面積を変化させる弁体を有する通気制御弁と、
を備え、
前記収容部は、前記発電要素を挿入するための開口を有する収容体と前記開口を封鎖する蓋体とから構成され、
前記隔壁は、前記収容体に前記蓋体が装着されたときのそれら収容体と蓋体との結合体からなり、
前記連通孔は、前記結合体からなる隔壁を形成する部分において前記収容体と前記蓋体とに跨って設けられていることを特徴とする電池モジュール。
【請求項２】
発電要素の収容される収容部が複数連なって設けられている電池モジュールであって、
隣接する収容部の隔壁にそれら収容部同士を連通するように設けられた連通孔と、
前記連通孔に設けられ、前記隣接する収容部の内部圧力の差に応じて前記連通孔の開放面積を変化させる弁体を有する通気制御弁と、
を備え、
前記収容部は、前記発電要素を挿入するための開口を有する収容体と前記開口を封鎖する蓋体とから構成され、
前記隔壁は、前記収容体に前記蓋体が装着されたときのそれら収容体と蓋体との結合体からなり、
前記連通孔は、前記結合体からなる隔壁を形成する部分において前記収容体又は前記蓋体に設けられ、
前記通気制御弁は、前記弁体として、前記連通孔に嵌合されてかつ、前記収容体及び前記蓋体の少なくとも一方の前記隔壁を形成する部分を挟み込む凹溝が形成された弾性体からなる弁体を有していることを特徴とする電池モジュール。
【請求項３】
前記収容部のうちの少なくとも１つには、収容部で発生するガスを当該電池モジュールの外部に排出して収容部の内部圧力を規定値以下に保持する安全弁が設けられており、
前記通気制御弁が前記連通孔の開放面積を拡大する前記隣接する収容部の内部圧力の差は、前記規定値よりも小さい値に設定されている
請求項１又は請求項２に記載の電池モジュール。
【請求項４】
前記通気制御弁は、前記連通孔の開放面積を拡大した後、前記隣接する収容部の内部圧力の差の減少に応じて前記拡大した連通孔の開放面積を縮小するかもしくは前記連通孔を閉鎖する
請求項１〜３のいずれか一項に記載の電池モジュール。
【請求項５】
前記通気制御弁は、前記弁体として、前記連通孔に嵌合挿入された弾性体からなる弁体を有し、前記隣接する収容部の内部圧力の差に応じた前記弁体の前記連通孔との嵌合面の変形に基づいて前記連通孔の開放面積を拡大するものである
請求項１〜４のいずれか一項に記載の電池モジュール。
【請求項６】
前記通気制御弁は、前記弁体として、前記連通孔に嵌合挿入されるとともに、その内部に前記収容部の連設方向に貫通された内部貫通穴が形成されている弾性体からなる弁体を有し、前記連通孔への嵌合挿入状態では前記内部貫通穴が閉鎖され、前記隣接する収容部の内部圧力の差に応じた前記弁体の前記内部貫通穴の変形に基づいて前記連通孔の開放面積を拡大するものである
請求項１〜５のいずれか一項に記載の電池モジュール。
【請求項７】
発電要素の収容される収容部が複数連なって設けられている電池モジュールであって、
隣接する収容部の隔壁にそれら収容部同士を連通するように設けられた連通孔と、
前記連通孔に設けられ、前記隣接する収容部の内部圧力の差に応じて前記連通孔の開放面積を変化させる弁体を有する通気制御弁と、
を備え、
前記通気制御弁は、前記弁体として、前記隔壁の両側面に液状体を収容可能に上部に開口を有して形成された箱状の液状体収容部に収容された液状体からなる弁体を有し、
前記連通孔は、前記液状体収容部の各々を相互に連通するように設けられており、
前記液状体収容部には、前記連通孔を没するように前記液状体からなる弁体が充填されていることを特徴とする電池モジュール。
【請求項８】
前記収容部は、前記発電要素を挿入するための開口を有する収容体と前記開口を封鎖する蓋体とから構成されており、
前記液状体収容部は、前記収容体の隔壁の上部に、隔壁の両方に張り出すように設けられており、
前記蓋体から前記液状体収容部の中に突出された部分が前記液状体収容部をその底面を残して区画することで前記連通孔が形成されている
請求項７に記載の電池モジュール。
【請求項９】
発電要素の収容される収容部が複数連なって設けられている電池モジュールであって、
隣接する収容部の隔壁にそれら収容部同士を連通するように設けられた連通孔と、
前記連通孔に設けられ、前記隣接する収容部の内部圧力の差に応じて前記連通孔の開放面積を変化させる弁体を有する通気制御弁と、
を備え、
前記連通孔の下側には、同連通孔の連通方向に沿って水平に拡がる液状体支持板が設けられているとともに、
前記連通孔の上側には、前記液状体支持板に対向するとともに前記連通孔からの距離が離れることに応じて前記液状体支持板との距離が離間するように構成された液状体誘導板が設けられており、
前記通気制御弁は、前記弁体として、前記液状体支持板と前記液状体誘導板との間に配置された液状体からなる弁体を有していることを特徴とする電池モジュール。
【請求項１０】
前記収容部のうちの少なくとも１つには、収容部で発生するガスを当該電池モジュールの外部に排出して収容部の内部圧力を規定値以下に保持する安全弁が設けられており、
前記通気制御弁が前記連通孔の開放面積を拡大する前記隣接する収容部の内部圧力の差は、前記規定値よりも小さい値に設定されている
請求項７〜９のいずれか一項に記載の電池モジュール。
【請求項１１】
前記通気制御弁は、前記連通孔の開放面積を拡大した後、前記隣接する収容部の内部圧力の差の減少に応じて前記拡大した連通孔の開放面積を縮小するかもしくは前記連通孔を閉鎖する
請求項７〜１０のいずれか一項に記載の電池モジュール。
【発明の詳細な説明】
【技術分野】
【０００１】
本発明は、密閉型二次電池からなる電池モジュールに関する。
【背景技術】
【０００２】
周知のように、密閉型二次電池からなる電池モジュールでは、発電要素が収容されている収容部に安全弁が設けられている。これは、発電要素から発生したガスにより収容部の内部圧力が異常に上昇した場合、安全弁を開弁させることによって上昇した内部圧力を低下させ、収容部の過大な変形や変形による破壊等を防ぐためである。
【０００３】
例えば、特許文献１に記載の電池モジュールには、連接配置された複数の収容部（電槽）のそれぞれにガス放出用の安全弁（ガス排出弁）がそれぞれ設けられている。これら各安全弁は複数の収容部の上方に１つ設けられた共通空間であるガス集合部に接続されており、各安全弁からの放出ガスはそのガス集合部を通り、同ガス集合部に接続された排出チューブから排出される。これにより、電池モジュールの各収容部の内部圧力が異常上昇しないようになっている。
【０００４】
しかしながら、各収容部に安全弁をそれぞれ設けることは、電池モジュールとしての部品点数の増加や構造の複雑化等をもたらしかねない。また、複数の安全弁を排出チューブに接続させるガス集合部は、電池モジュールとしての小型化を阻害する要因ともなる。
【０００５】
このようなことから従来、電池モジュールとしての構造の簡素化、並びに小型化を促進すべく、電池モジュールに設ける安全弁を１個だけにする技術が、例えば特許文献２などで提案されている。この特許文献２に記載の電池モジュールは、連接配置される第１〜第６収容部と、それら収容部のいずれか１個にだけ設けられた安全弁とを備えるとともに、隣接する収容部を区画する隔壁のそれぞれに、それら隣接する収容部を相互に連通させる所定の大きさの連通孔が形成されている。これにより、各発電要素から発生したガスがそれら連通孔を介して安全弁の設けられている収容部にまで移動して、その移動先の安全弁から排出されるとともに、ガスがいずれの収容部で発生した場合であっても異常な内部圧力上昇が防止されるようになる。すなわち、電池モジュールとしての構造の簡素化、並びに小型化を図りつつも、異常な内部圧力上昇を回避することができるようになる。
【先行技術文献】
【特許文献】
【０００６】
【特許文献１】特開２００４−１７８９０９号公報
【特許文献２】特開２００８−３１１０１５号公報
【発明の概要】
【発明が解決しようとする課題】
【０００７】
ところで近年は、電池モジュールの性能の向上に伴い、残存容量などの電池性能を各発電要素毎に高い精度で管理することが求められるようになってきている。
そのため特許文献１に記載の電池モジュールのように、発電要素の充放電に伴って発生するガスを他の発電要素に移動させたとき、その移動されたガスが移動先の発電要素の電池性能に及ぼす影響などについても考慮されるようになってきている。例えば、ニッケル水素電池では、発電要素により発生された酸素ガスが移動先の発電要素に吸蔵されている水素を消費して、同移動先の発電要素の電池性能（残存容量など）に影響を及ぼすようになることが発明者によって確認されている。
【０００８】
本発明は、このような実情に鑑みてなされたものであり、その目的は、簡素化に適した構造を有して発電要素の収容部の異常な内部圧力上昇を抑えつつ、各発電要素の電池性能をも高く維持することのできる電池モジュールを提供することにある。
【課題を解決するための手段】
【０００９】
上記課題を解決するため、請求項１に記載の発明は、発電要素の収容される収容部が複数連なって設けられている電池モジュールであって、隣接する収容部の隔壁にそれら収容部同士を連通するように設けられた連通孔と、前記連通孔に設けられ、前記隣接する収容部の内部圧力の差に応じて前記連通孔の開放面積を変化させる弁体を有する通気制御弁と、を備え、前記収容部は、前記発電要素を挿入するための開口を有する収容体と前記開口を封鎖する蓋体とから構成され、前記隔壁は、前記収容体に前記蓋体が装着されたときのそれら収容体と蓋体との結合体からなり、前記連通孔は、前記結合体からなる隔壁を形成する部分において前記収容体と前記蓋体とに跨って設けられていることを要旨とする。
また、上記課題を解決するため、請求項２に記載の発明は、発電要素の収容される収容
部が複数連なって設けられている電池モジュールであって、隣接する収容部の隔壁にそれら収容部同士を連通するように設けられた連通孔と、前記連通孔に設けられ、前記隣接する収容部の内部圧力の差に応じて前記連通孔の開放面積を変化させる弁体を有する通気制御弁と、を備え、前記収容部は、前記発電要素を挿入するための開口を有する収容体と前記開口を封鎖する蓋体とから構成され、前記隔壁は、前記収容体に前記蓋体が装着されたときのそれら収容体と蓋体との結合体からなり、前記連通孔は、前記結合体からなる隔壁を形成する部分において前記収容体又は前記蓋体に設けられ、前記通気制御弁は、前記弁体として、前記連通孔に嵌合されてかつ、前記収容体及び前記蓋体の少なくとも一方の前記隔壁を形成する部分を挟み込む凹溝が形成された弾性体からなる弁体を有していることを要旨とする。
また、上記課題を解決するため、請求項７に記載の発明は、発電要素の収容される収容部が複数連なって設けられている電池モジュールであって、隣接する収容部の隔壁にそれら収容部同士を連通するように設けられた連通孔と、前記連通孔に設けられ、前記隣接する収容部の内部圧力の差に応じて前記連通孔の開放面積を変化させる弁体を有する通気制御弁と、を備え、前記通気制御弁は、前記弁体として、前記隔壁の両側面に液状体を収容可能に上部に開口を有して形成された箱状の液状体収容部に収容された液状体からなる弁体を有し、前記連通孔は、前記液状体収容部の各々を相互に連通するように設けられており、前記液状体収容部には、前記連通孔を没するように前記液状体からなる弁体が充填されていることを要旨とする。
また、上記課題を解決するため、請求項９に記載の発明は、発電要素の収容される収容部が複数連なって設けられている電池モジュールであって、隣接する収容部の隔壁にそれら収容部同士を連通するように設けられた連通孔と、前記連通孔に設けられ、前記隣接する収容部の内部圧力の差に応じて前記連通孔の開放面積を変化させる弁体を有する通気制御弁と、を備え、前記連通孔の下側には、同連通孔の連通方向に沿って水平に拡がる液状体支持板が設けられているとともに、前記連通孔の上側には、前記液状体支持板に対向するとともに前記連通孔からの距離が離れることに応じて前記液状体支持板との距離が離間するように構成された液状体誘導板が設けられており、前記通気制御弁は、前記弁体として、前記液状体支持板と前記液状体誘導板との間に配置された液状体からなる弁体を有していることを要旨とする。
【００１０】
このような構成によれば、隣接する収容部同士の内部圧力の差に応じて、いわば自動的に、連通孔の開放面積が変化して、例えば同面積が拡大（開放）又は同面積が縮小（閉鎖等）して、すなわち隣接する収容部間での通気の有無が制御されるようになる。例えば、隣接する収容部の内部圧力の差が小さいときには連通孔を閉鎖することにより、隣接する収容部のそれぞれの内部空間を分離することができる。これにより、一つの収容部に生じたガスが隣接する他の収容部に移動することが防止されるようになる。その一方、隣接する収容部の内部圧力の差が大きいときには、それら内部圧力の差に応じて弁体が変形されることで開放面積が拡大して連通孔が開放されることにより、それら発電要素の収容される収容部で発生したガスを内部圧力の高い方から低い方に通気（移動）させて、発生したガスにより収容部が過度に変形したり、変形により破壊されたりすることを防ぐことができるようになる。
【００１１】
さらに、連通孔が閉鎖されるときには、隣接する収容部間でのガスの移動が禁止されることから、ガスの移動により懸念される発電要素の電池性能への影響は無視できるようになり、各発電要素の電池性能は高く維持されるようになる。また、簡易な構造の通気制御弁の採用により、電池モジュールとしてもその構造を簡易なものとすることができるようになる。
【００１２】
また従来から、収容部に存在したガスは収容部外に排出（例えば、収容部に設けられた安全弁を介して大気と内部圧力の差に応じて大気中に排出）されることが知られているものの、発生したガスには電池性能の維持に必要とされる成分が含まれる場合もあり、そのような場合、発生したガスの排出は電池性能の低下を招くおそれがあった。この構成によるように、隣接する収容部にガスを移動させるようにすれば、移動されたガスは隣接する収容部に留められる。そして、隣接する収容部との内部圧力の差が逆転すれば一旦排出したガスを再度、もとの収容部に移動させることもできるようになることから、一旦ガスを移動させた場合であれ、隣接する収容部からそれを再度、もとの収容部に移動させることで電池性能を回復させることができるようにもなる。これにより、発電要素の製造ばらつきや、劣化のばらつきや、温度のばらつきなど、理由が予測しがたいとともに、経時的にも変化する発電要素からのガスの発生が生じたとしても電池性能を好適に維持することができるようになる。
また、請求項１に記載の発明によれば、結合体において連通孔を収容体及び蓋体とに跨るように設け、そこに弁体を配置させることができるようになる。これにより、通気制御弁の隔壁への配置の自由度が高くなり、通気制御弁の形状の自由度も高くすることができ
るようになる。
また、請求項２に記載の発明によれば、弁体を隔壁に跨がせることができるので、連通孔への弁体の配置が容易となる。これにより、電池モジュールの組み立てが簡易にもなる。
また、請求項７に記載の発明によれば、連通孔が液状体に没しているので、液状体の表面にかかる圧力（隣接する収容部の内部圧力の差と重力）により液状体が押され、連通孔が露出されると、ガスが連通孔を通過するようになる。これにより、通常は隣接する収容部のガスの移動を防止するとともに、隣接する収容部の内部圧力の差が大きくなるとガスを移動させることができるようになる。そして、ガス移動とともに連通孔が液状体に没し、連通孔が閉鎖される。また、液状体の粘性によりガスを移動させる際の圧力を調整することができるようにもなる。
さらに、弾性体からなる弁体は変形後、水滴などの付着の影響で動作圧が変化することがあるが、このような構成によれば液量が変化しないため、連通した後も動作圧に変化がない。
また、請求項９に記載の発明によれば、液状体が配置される液状体支持板と液状体誘導板との間の距離は、連通孔に近い部分では短く、離れるにつれて長くなる。これにより、液状体は、毛細管現象などにより、液状体支持板と液状体誘導板との間の距離の短い部分に移動しつつ、当該距離の短い部分にある連通孔の開放面積を縮小（閉鎖等）する。一方、液状体は隣接する収容部の内部圧力の差が大きくなると液状体支持板と液状体誘導板の間を移動されて連通孔の開放面積を拡大（開放）する。これにより、通常は閉鎖して隣接する収容部との間のガスの移動を禁止する一方、隣接する収容部の内部圧力の差が大きくなると連通孔を開放して隣接する収容部の内部圧力の差を小さくするようにすることができる。これにより、通気制御弁の設計自由度が向上されるようになる。
【００１３】
請求項３に記載の発明は、請求項１又は請求項２に記載の電池モジュールにおいて、前記収容部のうちの少なくとも１つには、収容部で発生するガスを当該電池モジュールの外部に排出して収容部の内部圧力を規定値以下に保持する安全弁が設けられており、前記通気制御弁が前記連通孔の開放面積を拡大する前記隣接する収容部の内部圧力の差は、前記規定値よりも小さい値に設定されていることを要旨とする。
また、請求項１０に記載の発明は、請求項７〜９のいずれか一項に記載の電池モジュールにおいて、前記収容部のうちの少なくとも１つには、収容部で発生するガスを当該電池モジュールの外部に排出して収容部の内部圧力を規定値以下に保持する安全弁が設けられており、前記通気制御弁が前記連通孔の開放面積を拡大する前記隣接する収容部の内部圧力の差は、前記規定値よりも小さい値に設定されていることを要旨とする。
【００１４】
このような構成によれば、電池モジュールに生じる高い内部圧力は、連通孔を介して連設されている収容部の少なくとも一つに設けられている安全弁からのガス（気体）の放出により規定値を超えないように維持（保持）される。また、隣接する収容部の内部圧力の差により動作する通気制御弁の動作圧は、大気圧に対する圧力差により動作することが通常である安全弁の動作圧に比べて小さいので、安全弁まで複数の通気制御弁を介する場合であれ、電池モジュール内の内部圧力を規定値を大きく超えないように維持させることができる。これにより、動作圧が大きい安全弁の数を少なく維持し、電池モジュールの構造を簡易化することができるようになる。
【００１５】
請求項４に記載の発明は、請求項１〜３のいずれか一項に記載の電池モジュールにおいて、前記通気制御弁は、前記連通孔の開放面積を拡大した後、前記隣接する収容部の内部圧力の差の減少に応じて前記拡大した連通孔の開放面積を縮小するかもしくは前記連通孔を閉鎖することを要旨とする。
また、請求項１１に記載の発明は、請求項７〜１０のいずれか一項に記載の電池モジュ
ールにおいて、前記通気制御弁は、前記連通孔の開放面積を拡大した後、前記隣接する収容部の内部圧力の差の減少に応じて前記拡大した連通孔の開放面積を縮小するかもしくは前記連通孔を閉鎖することを要旨とする。
【００１６】
このような構成によれば、開放面積の拡大により一旦開放された連通孔であれ、ガスの移動による隣接する収容部の内部圧力の差の減少に応じて開放面積が縮小されるもしくは閉鎖され、隣接する収容部の内部空間が分離される。このように、隣接する収容部の内部圧力の差の解消により再びガスの移動が抑制されて、発生したガスの移動が発電要素の電池性能に影響を及ぼすおそれが抑制されるようになる。
【００１７】
請求項５に記載の発明は、請求項１〜４のいずれか一項に記載の電池モジュールにおいて、前記通気制御弁は、前記弁体として、前記連通孔に嵌合挿入された弾性体からなる弁体を有し、前記隣接する収容部の内部圧力の差に応じた前記弁体の前記連通孔との嵌合面の変形に基づいて前記連通孔の開放面積を拡大するものであることを要旨とする。
【００１８】
このような構成によれば、弁体の変形により連通孔の開放面積が拡大されるので、弁体を簡単な構造とすることができるようになる。これにより、この弁体を有する通気制御弁が用いられる電池モジュールとしても構造が簡易になる。
【００１９】
請求項６に記載の発明は、請求項１〜５のいずれか一項に記載の電池モジュールにおいて、前記通気制御弁は、前記弁体として、前記連通孔に嵌合挿入されるとともに、その内部に前記収容部の連設方向に貫通された内部貫通穴が形成されている弾性体からなる弁体を有し、前記連通孔への嵌合挿入状態では前記内部貫通穴が閉鎖され、前記隣接する収容部の内部圧力の差に応じた前記弁体の前記内部貫通穴の変形に基づいて前記連通孔の開放面積を拡大するものであることを要旨とする。
【００２０】
このような構成によれば、内部貫通穴の開放面積が隣接する収容部の内部圧力に応じて拡大（開放）又は縮小もしくは閉鎖されるので、内部貫通穴の開閉に対して弁体に当接する連通孔の影響を小さくすることができるようになる。すなわち、連通孔への弁体の嵌合挿入を容易にすることができるようになる。
【００３６】
請求項８に記載の発明は、請求項７に記載の電池モジュールにおいて、前記収容部は、前記発電要素を挿入するための開口を有する収容体と前記開口を封鎖する蓋体とから構成されており、前記液状体収容部は、前記収容体の隔壁の上部に、隔壁の両方に張り出すように設けられており、前記蓋体から前記液状体収容部の中に突出された部分が前記液状体収容部をその底面を残して区画することで前記連通孔が形成されていることを要旨とする。
【００３７】
この構成によるように、液状体収容部を区画することによっても連通孔が形成され、隔壁の両側にそれぞれ液状体収容部を配置することができるようになるので、隔壁への液状体収容部の形成が容易になる。
【発明の効果】
【００５０】
本発明にかかる電池モジュール、及び該電池モジュールなどに用いられる通気制御弁によれば、簡素化に適した構造を有して発電要素の収容部の異常な内部圧力上昇を抑えつつ、各発電要素の電池性能をも高く維持することのできる電池モジュールを提供することができるようになる。
【図面の簡単な説明】
【００５１】
【図１】本発明の電池モジュールを具体化した第１の実施形態について、その斜視構造及び部分断面構造を示す斜視図。
【図２】同実施形態の電池モジュールの断面構造を示す断面図。
【図３】同実施形態の電池モジュールの電槽間に配置される隔壁と、その隔壁に形成される連通孔の斜視構造を示す斜視図。
【図４】同実施形態の通気制御弁の弁体を示す図であって、（ａ）は斜視構造を模式的に示す模式図、（ｂ）は（ａ）の４ｂ−４ｂ線における断面構造を示す断面図。
【図５】同実施形態の通気制御弁の弁体の動作態様を模式的に示す模式図であって、（ａ）は通気空間を閉鎖している図、（ｂ）は通気空間を開放している図。
【図６】本発明の電池モジュールを具体化した第２の実施形態について、それを構成する隔壁と連通孔との斜視構造を示す斜視図。
【図７】本発明の電池モジュールを具体化した第３の実施形態について、それを構成する通気制御弁の弁体を示す図であって、（ａ）は斜視構造を模式的に示す模式図、（ｂ）は（ａ）の７ｂ−７ｂ線における断面構造を示す断面図。
【図８】同実施形態の通気制御弁の動作態様を模式的に示す模式図であって、（ａ）は通気空間を閉鎖している図、（ｂ）は通気空間を開放している図。
【図９】本発明の電池モジュールを具体化した第４の実施形態について、それを構成する通気制御弁の斜視構造を模式的に示す模式図。
【図１０】同実施形態の通気制御弁の弁体を示す図であって、（ａ）は斜視構造を模式的に示す模式図、（ｂ）は上面構造を示す上面図、（ｃ）は正面構造を示す正面図、（ｄ）は側面構造を示す側面図。
【図１１】同実施形態の通気制御弁の動作態様を図９の１１−１１線断面について模式的に示す模式図であって、（ａ）は通気空間を閉鎖している図、（ｂ）は通気空間を開放している図。
【図１２】本発明の電池モジュールを具体化した第５の実施形態について、それを構成する通気制御弁を示す図であって、（ａ）は斜視構造を模式的に示す模式図、（ｂ）は（ａ）の１２ｂ−１２ｂ線における断面構造を示す断面図。
【図１３】同実施形態の通気制御弁に通気空間が開放形成された状態を示す図であって、（ａ）は斜視構造を模式的に示す模式図、（ｂ）は（ａ）の１３ｂ−１３ｂ線における断面構造を示す断面図。
【図１４】同実施形態の通気制御弁の通気空間が閉鎖された状態を示す図であって、（ａ）は斜視構造を模式的に示す模式図、（ｂ）は（ａ）の１４ｂ−１４ｂ線における断面構造を示す断面図。
【図１５】本発明の電池モジュールを具体化した第６の実施形態について、それを構成する通気制御弁を示す図であって、（ａ）は斜視構造を模式的に示す模式図、（ｂ）は（ａ）の１５ｂ−１５ｂ線における断面構造を示す断面図。
【図１６】本発明の電池モジュールを具体化した第７の実施形態について、それを構成する通気制御弁を示す図であって、（ａ）は斜視構造を模式的に示す模式図、（ｂ）は（ａ）の１６ｂ−１６ｂ線における断面構造を示す断面図、（ｃ）は同実施形態の変形例の断面構造を示す断面図。
【図１７】本発明の電池モジュールを具体化した第８の実施形態について、それを構成する通気制御弁を示す図であって、（ａ）は斜視構造を模式的に示す模式図、（ｂ）は（ａ）の１７ｂ−１７ｂ線における断面構造を示す断面図。
【図１８】本発明の電池モジュールを具体化した第９の実施形態について、それを構成する通気制御弁を示す図であって、（ａ）は斜視構造を模式的に示す模式図、（ｂ）は通気空間の閉鎖状態を（ａ）の１８ｂ−１８ｂ線における端面構造にて示す端面図、（ｃ）は通気空間の開放状態を端面構造にて示す端面図。
【図１９】本発明の電池モジュールを具体化した第１０の実施形態について、それを構成する通気制御弁を示す図であって、（ａ）は斜視構造を模式的に示す模式図、（ｂ）は通気空間の閉鎖状態を（ａ）の１９ｂ−１９ｂ線における端面構造にて示す端面図、（ｃ）は通気空間の開放状態の端面構造を示す端面図。
【図２０】本発明の電池モジュールを具体化した第１１の実施形態について、それを構成する通気制御弁を示す図であって、（ａ）は斜視構造を模式的に示す模式図、（ｂ）は通気空間の閉鎖状態を（ａ）の２０ｂ−２０ｂ線における端面構造にて示す端面図、（ｃ）は通気空間の開放状態の端面構造を示す端面図。
【図２１】本発明の電池モジュールを具体化した第１２の実施形態について、それを構成する通気制御弁を示す図であって、（ａ）は斜視構造を模式的に示す模式図、（ｂ）は（ａ）の２１ｂ−２１ｂ線における断面構造を示す断面図。
【図２２】同実施形態の通気制御弁による通気空間の閉鎖状態を示す図であって、（ａ）は閉鎖状態を模式的に示す模式図、（ｂ）は閉鎖状態を（ａ）の２２ｂ−２２ｂ線における断面構造にて示す断面図。
【図２３】同実施形態の通気制御弁による通気空間の開放状態を示す図であって、（ａ）は開放状態を模式的に示す模式図、（ｂ）は開放状態を（ａ）の２３ｂ−２３ｂ線における断面構造にて示す断面図。
【図２４】本発明の電池モジュールを具体化した他の実施形態について、それを構成する通気制御弁の弁体を示す図であって、（ａ）は斜視構造を模式的に示す模式図、（ｂ）は（ａ）の２４ｂ−２４ｂ線における断面構造を示す断面図。
【図２５】同実施形態の通気制御弁の動作態様を模式的に示す模式図であって、（ａ）は通気空間の閉鎖態様を示す図、（ｂ）は通気空間の開放態様を示す図。
【発明を実施するための形態】
【００５２】
（第１の実施形態）
以下、本発明にかかる電池モジュールの第１の実施形態について、図１及び図２を参照して説明する。
【００５３】
図１及び図２に示すように、電池モジュールは、所要の電力容量を得るべく複数、具体的には６個の単電池１１を電気的に直列接続して構成される。電池モジュールは、６個の個別の直方体状からなる単電池１１を角形の最も表面積の広い面（長側面）を縦に見てその側面にあたる短側面同士が互いに対向するように配列した構造となっている。すなわち、電池モジュールを構成する角形の一体電槽１０には、一体電槽１０内が隔壁１２で仕切られることにより６個の収容部を構成するとともに収容体としての電槽１３が構成される。そして、各単電池１１は、各電槽１３に発電要素がそれぞれ収容されることにより角形に構成される。
【００５４】
すなわち、図１に示すように、この電池モジュールは、例えばニッケル水素蓄電池からなる単電池１１を構成する電槽１３の短側面同士を隔壁１２を介して複数連結してなる。そして一体電槽１０の開口部である各電槽１３の上面開口が、一体電槽１０の開口部を一体に封止することにより収容部を構成する蓋体２０により封止されている。そして、これら各電槽１３内には、発電要素として、正極板と負極板とがセパレータを介して積層された極板群１４と、その両側に接合された集電板１５，１６と、電解液（図示略）とが収容されている。なお、上記角形の一体電槽１０の表面には電池使用時の放熱性を高めるべく多数の凹凸が形成されているが、図１では便宜上、その図示を割愛している。
【００５５】
図２に示すように、極板群１４の正極板及び負極板は互いに反対側の側部に突出されることで正極板及び負極板のリード部１４ａ，１４ｂが構成され、これらリード部１４ａ，１４ｂの側端縁にそれぞれ集電板１５，１６が接合されている。また、隔壁１２の上部には各電槽１３の接続に用いられる貫通孔１７が形成されており、集電板１５，１６の上部に突設されている接続突部１５Ａ，１６Ａ同士がこの貫通孔１７を介してスポット溶接により接続されることによって、各々隣接する電槽１３が電気的に直列に接続される。なお、両端の電槽１３にあって外側に位置する貫通孔１７、すなわち一体電槽１０の端側壁上方の貫通孔１７には正極または負極の接続端子ＴＭが装着されている。そして、それら接続端子ＴＭと集電板１５又は１６の接続突部１５Ａ又は１６Ａとがスポット溶接により接続されることによって、各電槽１３に収容されて直列接続された複数の発電要素、いわゆる複数の単電池１１の総出力がこれら接続端子ＴＭから取り出される。さらに、隔壁１２にあって貫通孔１７の上部には、隣接する電槽１３の内部空間を相互に連通させる流通制御弁を構成する連通孔１８が形成され、同連通孔１８には、ゴムなどの弾性部材からなる弾性体であり流通制御弁を構成する弁体３０が嵌合挿入されている。
【００５６】
電池モジュールには、内部圧力により一体電槽１０が変形することなどを防ぐための安全弁２１が設けられている。安全弁２１は、通常は閉鎖（閉弁）しており、電池モジュール内と、その外部の大気などとを隔離する一方、電池モジュールの内部圧力が所定の規定値よりも高い圧力となった場合、開放（開弁）して電池モジュール内の気体などを外部に排出することで電池モジュール内の内部圧力を低下させる。安全弁２１が作動する圧力としての規定値は、一体電槽１０の耐圧性能に応じて定められている。例えば、安全弁２１は、一体電槽１０の内部圧力が、大気圧（例えば０．１ＭＰａ）に対して一定の値である所定の規定値（例えば１ＭＰａ）以上となったとき、すなわち、内外の圧力差が、規定値−大気圧（１ＭＰａ−０．１ＭＰａ）となったとき、開弁するように設定されている。なお安全弁２１は、設定された規定値に対して高い精度での動作が求められることから、精度や信頼性などを維持するため構造が複雑となり、その小型化やコスト削減が難しいものとなっている。
【００５７】
その他、この電池モジュールには、当該電池の内部温度を検出するためのセンサを装着するセンサ装着穴２２などが設けられている。
続いて、隔壁１２に形成された連通孔１８と、そこに嵌合挿入される弁体３０とにより構成される通気制御弁について、図３〜５を参照して説明する。
【００５８】
図３に示すように、隔壁１２は、同隔壁１２の上部１２ａの上端に、蓋体２０に接合される上面１２ｂを備えている。そして前記連通孔１８が、その連通方向に対する断面を円形状として隔壁１２の上部１２ａに貫通形成されている。
【００５９】
図４（ａ）及び（ｂ）に示すように、連通孔１８に嵌合挿入される弁体３０は、長手方向に延びる円柱形状に形成されており、同長手方向の両端と中央部が絞られる形状になっている。詳述すると、弁体３０には、長手方向中央部の嵌合部３１と、同嵌合部３１の両側にあってそれぞれ同嵌合部３１より大きな外径の係止部３２と、同係止部３２から端部に向かうにつれて外径が小さくなるテーパ面３３と、同テーパ面３３の端部、すなわち弁体３０の端部に嵌合部３１の外径よりもより小さな外径の端面３４とがそれぞれ設けられている。なお本実施形態では、弁体３０の嵌合部３１の外径は、連通孔１８の内径と同じか、それより少し大きく形成されている。また、連通孔１８の内周面に嵌合部３１の表面（嵌合面）が全周に渡って当接するように、嵌合部３１の外形についても、連通孔１８に嵌合可能な円形の外形に形成されている。なお、嵌合部３１は、弁体３０の弾性力によりその表面が連通孔１８の内周面に押し付けられることで、電槽１３の内部圧力が所定の圧力になるまで連通孔１８の開放面積が最も縮小された、すなわち無い状態（閉鎖）を維持する。このため、嵌合部３１の外径と連通孔１８の内径とが同じ場合、嵌合部３１の表面は、連通孔１８の内周面に当接しているだけであるため、連通孔１８を閉鎖する力が弱くなる。一方、嵌合部３１の外径が連通孔１８の内径より大きい場合、嵌合部３１の外径と連通孔１８の内径との差に応じた力が嵌合部３１の表面を連通孔１８の内周面に押し付けるため、連通孔１８を閉鎖する力が強くなる。
【００６０】
なお、連通孔１８の開放面積を拡大（連通孔１８を開放）させるために弁体３０が変形する圧力の値は、安全弁２１の動作圧である規定圧よりも小さい値に設定されている。そのため、弁体３０は、それが変形される圧力を高い精度で管理する必要がないため、弁体３０としてその構造を簡易にすることができる。
【００６１】
こうした弁体３０は、連通孔１８に端面３４から、テーパ面３３、係止部３２の順に挿通され、図５（ａ）に示すように、嵌合部３１が連通孔１８に嵌合挿入される。弁体３０の外径は連通孔１８の内径と同じか、少し大きめであることから、連通孔１８に配置された弁体３０は連通孔１８を閉鎖して、隔壁１２の両側の各電槽１３のそれぞれの内部空間を分離し、それぞれの内部空間のガス（気体）の相互移動を防止する。
【００６２】
次に、上記のように構成される流通制御弁の作用について、図５を参照して説明する。
図５（ａ）に示すように、隔壁１２の連通孔１８に嵌合挿入された弁体３０は、嵌合部３１の表面が連通孔１８の内周面の全周に当接するため、連通孔１８を介して隔壁１２の両側に設けられる電槽１３をガス（気体）が移動しないようになる。
【００６３】
ところで、図５（ｂ）に示すように、隔壁１２の両側にある各電槽１３のいずれか一方の内部圧力が上昇すると、当該内部圧力が隔壁１２とともに弁体３０にも印加される。このとき、弁体３０の嵌合部３１に印加される圧力が嵌合部３１の表面を押圧して変形させると、この変形により連通孔１８の開放面積が拡大されて、同連通孔１８が一時的に連通されて、同連通孔１８を介して内部圧力の高い電槽１３から内部圧力の低い電槽１３にガス（気体）が移動する。これにより、高い内部圧力の電槽１３の圧力が低下する。
【００６４】
そして、電槽１３の内部圧力の低下とともに嵌合部３１の表面を押圧する力が弱くなるため、嵌合部３１の表面が元の形状に戻る（自然復帰する）につれて連通孔１８の開放面積が縮小される。そして、同表面が元の形状に戻ると、嵌合部３１の表面が連通孔１８の内周面と全周に渡り当接して連通孔１８の開放面積が最も縮小される、すなわち無くなる（連通孔１８が閉鎖される）。
【００６５】
続いて、電池モジュールにおけるこの通気制御弁の作用について、図２を参照して説明する。
図２に示されるように、電池モジュールの図において左側の端部の電槽１３の内部圧力が高くなると、それより内部圧力の低い隣接する左から２番目の電槽１３との間の弁体３０が変形して、左側の端部の電槽１３内のガスが左から２番目の電槽１３に移動する。これにより、左側の端部の電槽１３の内部圧力が低く維持されるようになる。逆に、左から２番目の電槽１３の内部圧力が高くなると、それより内部圧力の低い隣接する左側の端部の電槽１３との間の弁体３０が変形して、左から２番目の電槽１３内のガスが左側の端部の電槽１３に移動する。これにより、左から２番目の電槽１３の内部圧力が低く維持されるようになる。このような気体の移動が、左側の端部の電槽１３と左から２番目の電槽１３との間でそれらの内部圧力に差が生じたときに、生じた内部圧力の差に応じて繰り返される。
【００６６】
また、左から２番目の電槽１３の内部圧力が高くなると、それより内部圧力の低い隣接する左から３番目の電槽１３との間の弁体３０が変形して、左から２番目の電槽１３内のガスが左から３番目の電槽１３に移動する。これにより、左から２番目の電槽１３の内部圧力が低く維持されるようになる。逆に、左から３番目の電槽１３の内部圧力が高くなると、それより内部圧力の低い隣接する左から２番目の電槽１３との間の弁体３０が変形して、左から３番目の電槽１３内のガスが左から２番目の電槽１３に移動する。これにより、左から３番目の電槽１３の内部圧力が低く維持されるようになる。このような気体の移動が、左から２番目の電槽１３と左から３番目の電槽１３との間でそれらの内部圧力に差が生じたときに、生じた内部圧力の差に応じて繰り返される。
【００６７】
また、上記と同様の電槽１３間のガス（気体）の移動が、他の隣接する電槽１３間でも、隣接する電槽１３間の内部圧力の差に応じて生じるが、それらについての説明は割愛する。
【００６８】
ところで、本実施形態では、左から３番目の電槽１３には安全弁２１が設けられているため、左から３番目の電槽１３はその内部圧力が安全弁２１の動作圧（規定値）を超えると、安全弁２１の開放によりガス（気体）が放出されて内部圧力が低くなる。これとともに、左から３番目の電槽１３は、隣接している電槽１３に対して内部圧力が相対的に低くなる、すなわち隣接している電槽１３の内部圧力が高くなるため、それら内部圧力の高い隣接する電槽１３から弁体３０を介してガス（気体）が流入する。これにより、隣接する電槽１３の内部圧力も低下するようになる。このように内部圧力を低下させるガス（気体）の移動も、他の隣接する電槽１３間でもそれら隣接する電槽１３の内部圧力の差に応じて生じる。このため、電池モジュールに設けられる安全弁２１が１個だけであれ、左から３番目の電槽１３の内部圧力低下に伴って他の電槽１３の内部圧力も低下されるようになるので、電池モジュール全体としての内部圧力が規定値を大きく超えない値に維持されるようになる。
【００６９】
以上説明したように、本実施形態の電池モジュールによれば、以下に列記するような効果が得られるようになる。
（１）隣接する電槽１３同士の内部圧力の差に応じて、いわば自動的に、連通孔１８の
開放面積が変化して、例えば開放又は閉鎖して、すなわち隣接する電槽１３間での通気の有無が制御されるようになる。例えば、隣接する電槽１３の内部圧力の差が小さいときには連通孔１８を閉鎖することにより、隣接する電槽１３のそれぞれの内部空間を分離することができる。これにより、一つの電槽１３に生じたガスが隣接する他の電槽１３に移動することが防止されるようになる。その一方、隣接する電槽１３の内部圧力の差が大きいときには、それら内部圧力の差に応じて弁体３０が変形されることで開放面積が拡大して連通孔１８が開放される。これにより、それら発電要素の収容される電槽１３で発生したガスを内部圧力の高い方から低い方に通気（移動）させて、発生したガスにより電槽１３（一体電槽１０）が過度に変形したり、変形により破壊されたりすることを防ぐことができるようになる。
【００７０】
さらに、連通孔１８が閉鎖されるときには、隣接する電槽１３間でのガスの移動が禁止されることから、ガスの移動により懸念される発電要素の電池性能への影響も無視できるようになり、各発電要素の電池性能も高く維持されるようになる。また、簡易な構造の通気制御弁の採用により、電池モジュールとしてもその構造を簡易なものとすることができるようになる。
【００７１】
また従来から、電槽１３に発生したガスは電槽１３に排出（例えば、電槽１３に設けられた安全弁２１を介して大気中に排出）されることが知られているものの、発生したガスにはニッケル水素電池の電池性能の維持に必要とされる酸素や水素などが含まれる場合もあり、そのような場合、発生したガスの排出は電池性能の低下を招くおそれがあった。この構成によるように、隣接する電槽１３にガス（酸素や水素）を移動させるようにすれば、ガスは大気中に放出されず、隣接する電槽１３に留められる。そして、隣接する電槽１３との内部圧力の差が逆転すれば一旦排出したガスを再度、もとの電槽１３に移動させることもできるようになることから、一旦ガスを移動させた場合であれ、隣接する電槽１３からそれを再度、もとの電槽１３に移動させることで電池性能を回復させることができるようにもなる。これにより、発電要素の製造ばらつきや、劣化のばらつきや、温度のばらつきなど、予測しがたいとともに、経時的にも変化する発電要素からのガスの発生が生じたとしても電池性能を好適に維持することができるようになる。
【００７２】
（２）電池モジュールに生じる高い内部圧力は、連通孔１８を介して連設されている電槽１３の少なくとも一つに設けられている安全弁２１からのガス（気体）の放出により規定値を超えないように維持（保持）される。また、隣接する電槽１３の内部圧力の差により動作する通気制御弁の動作圧は、大気圧に対する圧力差により動作することが通常である安全弁２１の動作圧に比べて小さいので、安全弁２１まで複数の通気制御弁を介する場合であれ、電池モジュール内の内部圧力を規定値を大きく超えないように維持させることができる。これにより、動作圧が大きい安全弁２１の数を少なく維持し、電池モジュールの構造を簡易化することができるようになる。
【００７３】
（３）開放面積の拡大により一旦開放された連通孔１８であれ、ガスの移動による隣接する電槽１３の内部圧力の差の減少に応じて開放面積が縮小されるもしくは閉鎖され、隣接する電槽１３の内部空間が分離される。このように、隣接する電槽１３の内部圧力の差の解消により再びガスの移動が抑制されて、発生したガスの移動が発電要素の電池性能に影響を及ぼすおそれが抑制されるようになる。
【００７４】
（４）弁体３０の変形により連通孔１８の開放面積が拡大される、つまり、安全弁２１は高い精度で動作が求められるため複雑な構造となるが、弁体３０は簡単な構造であるため、安全弁２１を設けるより、安価で小型化が可能となる。これにより、この弁体３０を有する通気制御弁が用いられる電池モジュールとしても構造が簡易になる。
【００７５】
（第２の実施形態）
以下、本発明にかかる電池モジュールの第２の実施形態について、図６を参照して説明する。本実施形態では、連通孔の一部を蓋体に形成したことが、先の第１の実施形態に対して相違する点であり、その他の構成については同様なので、以下では主に相違点について説明し、同様な構成には同一の符号を付してその説明を割愛する。
【００７６】
隔壁１２の上部１２ａは、その上面１２ｂに連通孔を構成する上面溝１９が貫通形成されている。上面溝１９は、同溝の長手方向に対する断面を半円形状とした溝である。また、蓋体２０には、隔壁１２の上面１２ｂに向けて延出される隔壁２３が設けられている。隔壁２３は、蓋体２０が一体電槽１０に結合されるとき、その下面２４が隔壁１２の上面１２ｂに結合される。下面２４には、上面溝１９と一体で連通孔を構成する下面溝２５が、上面１２ｂに結合されるとき上面溝１９に対応する位置に貫通形成されている。下面溝２５は、溝の長手方向に対する断面を半円形状とした溝である。これにより、隔壁１２の上面１２ｂに隔壁２３の下面２４が結合されて結合体が形成されたとき、上面溝１９と下面溝２５とが対向配置されて、連通方向に対する断面が円形の通気制御弁を構成する連通孔が形成される。
【００７７】
そしてこのように形成された連通孔に、先の第１の実施形態に記載された通気制御弁を構成する弁体３０が嵌合挿入される。なお、隔壁１２の上面１２ｂと隔壁２３の下面２４とを結合させる前に、上面溝１９と下面溝２５との間に弁体３０を挟み込むように配置してから、隔壁１２の上面１２ｂと隔壁２３の下面２４とを結合させてもよい。
【００７８】
以上説明したように、本実施形態の電池モジュールによれば、先の第１の実施形態で記載した効果（１）〜（４）に加え、以下に列記するような効果が得られるようになる。
（５）蓋体２０が一体電槽１０に結合されて形成される結合体において、連通孔を電槽１３及び蓋体２０とに跨るように設け、そこに弁体３０を配置させることができるようになる。これにより、通気制御弁の隔壁１２，２３への配置の自由度が高くなり、通気制御弁の形状の自由度も高くすることができるようになる。
【００７９】
（第３の実施形態）
以下、本発明にかかる電池モジュールの第３の実施形態について、図７及び８を参照して説明する。本実施形態では、連通孔を連通させる内部貫通穴を弁体に形成したことが、先の第１の実施形態との相違点であり、その他の構成については同様なので、以下では主に相違点について説明し、同様な構成には同一の符号を付してその説明を割愛する。
【００８０】
図７（ａ）及び（ｂ）に示すように、連通孔１８に嵌合挿入される弾性体であり通気制御弁を構成する弁体４０は、先の第１の実施形態の弁体３０と同様の外形に形成されている。すなわち、弁体４０は、長手方向に延びる円柱形状に形成され、同長手方向の両端と中央部が絞られている。詳述すると、弁体４０には、長手方向中央部の嵌合部４１と、同嵌合部４１の両側にあってそれぞれ同嵌合部４１より大きな外径の係止部４２と、同係止部４２から端部に向かうにつれて外径が小さくなるテーパ面４３と、同テーパ面４３の端部、すなわち弁体４０の端部に嵌合部４１の外径よりもより小さな外径の端面４４とがそれぞれ設けられている。
【００８１】
なお本実施形態では、弁体４０の内部には、弁体４０の両端の端面４４を結ぶ内部貫通穴４５が貫通形成されている。内部貫通穴４５は、長手方向の断面が円状の穴であり、一端の端面４４から他端の端面４４の間に貫通形成され、その貫通された穴の内部をガスが通気（移動）できるようになっている。
【００８２】
また、嵌合部４１の外径は、連通孔１８の内径より少し大きく形成されている。これに
より嵌合部４１は、弁体４０が連通孔１８に嵌合挿通されたとき、連通孔１８の内周面に嵌合部４１の表面が押しつぶされて内部方向に変形される。そしてこの内部方向への変形が、内部貫通穴４５を押しつぶして、その内部貫通穴４５を塞ぎ同穴の内部をガスが通気できないようにする。すなわち、嵌合部４１の外径は、弁体４０が連通孔１８に嵌合挿通されたとき、ガスが通気できないように内部貫通穴４５が押しつぶされる外径である。このため、嵌合部４１の外径と連通孔１８の内径との差が大きくなることに対応して内部貫通穴４５を押しつぶして閉鎖する力が強くなる。
【００８３】
すなわち、図８（ａ）に示すように、連通孔１８に配置された弁体４０は内部貫通穴４５を閉鎖して、隔壁１２の両側の各電槽１３の内部空間を分離し、それぞれの内部空間のガス（気体）の相互移動を防止する。
【００８４】
次に、上記のように構成される流通制御弁の作用について、図８を参照して説明する。
図８（ａ）に示すように、隔壁１２の連通孔１８に嵌合挿入された弁体４０は、嵌合部４１の表面が連通孔１８の内周面の全周に当接するとともに内部貫通穴４５が閉鎖されるため、隔壁１２の両側に設けられる電槽１３間でガス（気体）を移動させない。
【００８５】
ところで、隔壁１２の両側にある各電槽１３のいずれか一方の内部圧力が上昇すると、図８（ｂ）に示すように、当該内部圧力が隔壁１２とともに弁体４０にも印加される。このとき、弁体４０の内部貫通穴４５に印加される圧力が内部貫通穴４５を押し開くように拡大変形させて内部貫通穴４５が貫通され、一時的に連通孔１８が開放されることから、同通気空間を介して内部圧力の高い電槽１３から内部圧力の低い電槽１３にガス（気体）が移動する。これにより、高い内部圧力の電槽１３の内部圧力が低下する。
【００８６】
その後、電槽１３の内部圧力の低下とともに内部貫通穴４５を押し開く力が小さくなり、内部貫通穴４５の形状が自然に元に戻る（自然復帰する）につれて連通孔１８の開放面積も小さくなる。さらに、内部貫通穴４５の形状が元に戻る（自然復帰する）と、内部貫通穴４５の貫通が閉じられて連通孔１８が閉鎖される。
【００８７】
以上説明したように、本実施形態の電池モジュールによれば、先の第１の実施形態で記載した効果（１）〜（４）に加え、以下に列記するような効果が得られるようになる。
（６）内部貫通穴４５の開放面積が隣接する電槽１３の内部圧力に応じて拡大（開放）又は縮小もしくは閉鎖されるので、内部貫通穴４５の開閉に対して弁体４０に当接する連通孔１８の影響を小さくすることができるようになる。すなわち、連通孔１８への弁体４０の嵌合挿入を容易にすることができるようになる。
【００８８】
（第４の実施形態）
以下、本発明にかかる電池モジュールの第４の実施形態について、図９〜１１を参照して説明する。本実施形態では、弁体に連通孔の隔壁を跨ぐ凹溝を形成したことが、先の第２の実施形態に対する相違点であり、その他の構成については同様なので、以下では主に相違点について説明し、同様な構成には同一の符号を付してその説明を割愛する。
【００８９】
図９に示すように、隔壁１２の上部１２ａは、その上面１２ｂに連通孔１８Ｃを構成する上部溝１９Ａが貫通形成されている。上部溝１９Ａは、連通方向に対する断面の形状が矩形の溝であり、その矩形の溝は高さＨ、幅Ｌ、厚みＷの各値を有する。また、蓋体２０には、隔壁１２の上面１２ｂに向けて延出される隔壁２３が設けられている。隔壁２３は、蓋体２０が一体電槽１０に結合されるとき、その下面２４が隔壁１２の上面１２ｂに結合される。これにより、隔壁１２の上面１２ｂに隔壁２３の下面２４が結合されて結合体が形成されたとき、上部溝１９Ａと隔壁２３の下面２４とが対向配置されて、上部溝１９Ａの各側面と上部溝１９Ａに対応する下面２４の一部分とにより、連通方向に対する断面
が矩形の通気制御弁を構成する連通孔１８Ｃが形成される。
【００９０】
上記のように形成される連通孔１８Ｃには、上部溝１９Ａに嵌合されるとともに隔壁１２に跨るように、弾性体であり通気制御弁を構成する弁体６０が配置される。図１０（ａ）に示すように、弁体６０は、概略直方体形状をしており、同弁体６０には、その上側に矩形形状の上面６１と、その正面側に矩形形状の正面６４と、その側面側に下から凹溝６３の形成される側面６２とがそれぞれ設けられている。詳述すると、図１０（ｂ），（ｃ），（ｄ）に示すように、弁体６０は、側面６２と、同側面６２に平行な他の側面との間に、断面矩形状の凹溝６３が直線状に形成されている。この凹溝６３は、弁体６０の下面から高さＨ１を有し、側面６２に対する幅方向に隔壁１２の厚みＷと同じ厚みＷ１を有する。これにより、凹溝６３が隔壁１２を挟み込めるようになっている。凹溝６３よりも上部の高さＨ２の部分には、凹溝６３の長手方向に直交する方向に貫通形成された内部貫通穴６５が設けられている。高さＨ２は、上部溝１９Ａの高さＨより少しだけ高くなっている。内部貫通穴６５は、弁体６０にあって正面６４と、同正面６４に平行な背面との間に貫通形成されており、同貫通方向を長手方向としている。
【００９１】
図１１（ａ）に示すように、弁体６０は、凹溝６３が上部溝１９Ａ下部において隔壁１２を挟み込むとともに、内部貫通穴６５が形成される高さＨ２の部分が同上部溝１９Ａに隙間無く嵌め込まれる。そして、内部貫通穴６５は隔壁１２の両側にある電槽１３の内部空間にその開口をそれぞれ配置させる。なお、弁体６０が連通孔１８Ｃに配置されたとき、弁体６０の高さＨ２は、上部溝１９Ａの高さＨより少しだけ高いため、その上面が蓋体２０の隔壁２３の下面２４により押圧される。そしてこの押圧が弁体６０を下方（内部方向）へ変形させ、内部貫通穴６５が押しつぶされることにより、その内部貫通穴６５が塞がれて内部をガスが通気できないようになる。すなわち、弁体６０の高さＨ２は、弁体６０が連通孔１８Ｃに嵌合されたとき、ガスが通気できないように内部貫通穴６５が押しつぶされるような高さである。このため、弁体６０の高さＨ２が上部溝１９Ａ（連通孔１８Ｃ）の高さＨよりも高くなることに対応して内部貫通穴６５を押しつぶして閉鎖する力が強くなる。
【００９２】
すなわち、図１１（ａ）に示すように、連通孔１８Ｃに配置された弁体４０は内部貫通穴６５を閉鎖して、隔壁１２の両側の各電槽１３の内部空間を分離し、それらの内部空間のガス（気体）の相互移動が防止される。
【００９３】
次に、上記のように構成される流通制御弁の作用について、図１１を参照して説明する。なお、内部貫通穴６５の開口及び閉鎖の動作は、先の第２の実施形態の内部貫通穴４５の開口及び閉鎖の動作と同様であるので説明の一部を割愛する。
【００９４】
図１１（ａ）に示すように、隔壁１２の連通孔１８Ｃに嵌合挿入された弁体６０は、内部貫通穴６５を閉鎖して隔壁１２の両側に設けられる電槽１３の相互のガス（気体）の移動を禁止する。
【００９５】
ところで、隔壁１２の両側にある各電槽１３のいずれか一方の内部圧力が上昇すると、図１１（ｂ）に示すように、当該内部圧力が内部貫通穴６５に印加されて内部貫通穴６５を押し開くように拡大変形させて内部貫通穴６５を貫通させ、一時的に、連通孔１８Ｃを開放する。
【００９６】
その後、電槽１３の圧力の低下とともに内部貫通穴６５を押し開く力が小さくなり、内部貫通穴６５の形状が元に戻る（自然復帰する）につれて連通孔１８Ｃの開放面積も小さくなる。さらに、内部貫通穴６５の形状が元に戻る（自然復帰する）と、内部貫通穴６５の貫通が閉じられて連通孔が閉鎖される。
【００９７】
以上説明したように、本実施形態の電池モジュールによれば、先の第１及び第２の実施形態で記載した効果（１）〜（５）に加え、以下に列記するような効果が得られるようになる。
【００９８】
（７）弁体６０を隔壁１２に跨がせることができるので、連通孔１８Ｃへの弁体６０の配置が容易となる。つまり、弁体６０の位置が隔壁１２に対して固定され、特に蓋体２０が取り付けられる前に、弁体６０が隔壁１２から外れることを防止することができる。これにより、電池モジュールの組み立てが簡易にもなる。
【００９９】
（第５の実施形態）
以下、本発明にかかる電池モジュールの第５の実施形態について、図１２〜１４を参照して説明する。本実施形態では、弁体として膜状の弁体を用いたことが、先の第１の実施形態に対する相違点であり、その他の構成については同様なので、以下では主に相違点について説明し、同様な構成には同一の符号を付してその説明を割愛する。
【０１００】
図１２（ａ）及び（ｂ）に示すように、隔壁１２には、先の第１の実施形態の連通孔１８と同様に、通気制御弁を構成する連通孔１８Ａが形成されている。連通孔１８Ａには、それを覆うように弾性部材からなる弾性体であり通気制御弁を構成する膜状の弁体７０が設けられている。膜状の弁体７０は、例えば、連通孔１８Ａを覆うように同連通孔１８Ａの周囲に塗布した液状の弾性材料が固化することにより形成され、その周辺部７１が連通孔１８Ａの外周部を構成する隔壁１２の表面に付着するとともに、その中央部７２が連通孔１８Ａの中央部を覆うようになっている。
【０１０１】
本実施形態では、膜状の弁体７０は、隔壁１２の表面に付着する周辺部７１の厚みｔ２は、隔壁１２の厚みｔ１よりも厚く形成されている一方、連通孔１８Ａの中央部に対応する中央部７２の厚みｔ３は、隔壁１２の厚みｔ１よりも薄く形成されている。ところで、膜状の弁体７０の中央部７２の厚みｔ３は、隔壁１２の両側の電槽１３の内部圧力の差による押圧力を受けて押し破られる、いわゆる千切られる強度となるように設定されている。なお、膜状の弁体７０は、千切られた位置に裂孔７３が形成される。
【０１０２】
次に、上記のように構成される流通制御弁の作用について、図１２〜１４を参照して説明する。
連通孔１８Ａに設けられた膜状の弁体７０は当初、その中央部７２に千切れ等を有さないため、隔壁１２の両側にある電槽１３の内部空間を分離して、各電槽１３のガスの相互移動を禁止する。
【０１０３】
ところで、隔壁１２の両側にある各電槽１３のいずれか一方の内部圧力が上昇すると、当該内部圧力が隔壁１２とともに膜状の弁体７０にも印加される。このとき、図１３（ａ），（ｂ）に示すように、膜状の弁体７０の中央部７２に印加される圧力が同中央部７２を押し切り（千切り）裂孔７３が形成される。これにより、連通孔１８Ａが開放されることとなり、同開放された連通孔１８Ａを介して内部圧力の高い電槽１３から内部圧力の低い電槽１３にガス（気体）が移動する。これにより、高い内部圧力の電槽１３の内部圧力が低下する。
【０１０４】
その後、図１４（ａ），（ｂ）に示すように、電槽１３の圧力の低下とともに膜状の弁体７０の中央部７２に印加される圧力が弱くなり、裂孔７３の形状が弾性復帰により千切られる以前の位置に自然に戻る（自然復帰する）につれて裂孔７３の開放面積も小さくなる。さらに、裂孔７３を含む中央部７２の位置が可能な限り元に戻る（自然復帰する）と、裂孔７３の開放面積が可能な限り縮小して連通孔１８Ａがほぼ閉鎖される。これにより
、各電槽１３のガスの相互移動が抑制されるようになる。
【０１０５】
以上説明したように、本実施形態の電池モジュールによれば、先の第１の実施形態で記載した効果（１）〜（４）に加え、以下に列記するような効果が得られるようになる。
（８）連通孔１８Ａの開放面積の拡大（開放）もしくは開放面積の縮小（閉鎖等）が、隣接する電槽１３の内部圧力の差に応じて弁体７０の中央部に生じる千切れと弾性復帰によって行われる。すなわち、弾性体により構成される弁体７０であれば、一旦千切れて連通孔を開放した後であれ、隣接する電槽１３の内部圧力の差が小さくなれば、千切れて形成された開放面積が弾性復帰により小さくなることから、隣接する電槽１３とのガスの移動が抑制されるので、発電要素の電池性能を維持することができるようになる。
【０１０６】
（９）弁体７０の中央部７２は連通孔１８Ａの中央部に対応する厚みが薄く形成されているので、その薄い部分が千切られて連通孔１８Ａが開放され、その後、弾性復帰されることにより連通孔１８Ａの開放面積が縮小（閉鎖等）されるようになる。また、薄さを調整することにより連通孔１８Ｃが開放される内部圧力の差を調整することもできるようになる。さらに、中央部７２の厚みを薄くすることにより、表面張力効果で膜の形状が安定し、開放される圧力のばらつきを抑えることができる。
【０１０７】
（１０）弾性材料を連通孔１８Ａを覆うように隔壁１２に塗布することで弁体７０を簡単に形成することができ、このような通気制御弁の適用が容易になる。
（第６の実施形態）
以下、本発明にかかる電池モジュールの第６の実施形態について、図１５を参照して説明する。本実施形態では、膜状の弁体の周辺部が隔壁の一方の側面にのみ形成されたことが、先の第５の実施形態に対して相違する点であり、その他の構成については同様なので、以下では主に相違点について説明し、同様な構成には同一の符号を付してその説明を割愛する。
【０１０８】
図１５（ａ），（ｂ）に示すように、通気制御弁を構成する膜状の弁体７５は、先の第５の実施形態の膜状の弁体７０と同様の弾性材料からなり、連通孔１８Ａの内径Ｄ２よりも大きい外径Ｄ１を有する。この膜状の弁体７５は、連通孔１８Ａの中央部に対応する位置に中央部７７を有するとともに、隔壁１２の一方の表面にのみに外径Ｄ１の周辺部７６を有している。すなわち、隔壁１２の他方の表面には、周辺部が設けられておらず、連通孔１８Ａの内径Ｄ２の内側に中央部７７のみが配置されるようになっている。
【０１０９】
これにより、膜状の弁体７５を塗布形成するような場合、隔壁１２の一方の表面からと付することで形成することができるようになるので、その形成が容易になる。
以上説明したように、本実施形態の電池モジュールによれば、先の第１及び第５の実施形態で記載した効果（１）〜（４）及び（８）〜（１０）に加え、以下に列記するような効果が得られるようになる。
【０１１０】
（１１）弁体７５を一方の隔壁１２の側面にのみ付着させることができるようになるので、弁体７５の配置の自由度が向上するようになる。また、隔壁１２の一方から弁体を構成する部材を塗布することにより簡単に形成することができるようにもなる。
【０１１１】
（第７の実施形態）
以下、本発明にかかる電池モジュールの第７の実施形態について、図１６を参照して説明する。本実施形態では、膜状の弁体の付着する周辺部において隔壁に凹凸が形成されていることが、先の第５の実施形態に対して相違する点であり、その他の構成については同様なので、以下では主に相違点について説明し、同様な構成には同一の符号を付してその説明を割愛する。
【０１１２】
図１６（ａ），（ｂ）に示すように、連通孔１８Ａの外周部に対応する隔壁１２には、隔壁１２の両方の表面にそれぞれ通気制御弁を構成する凹凸面１２Ｒが形成されている。凹凸面１２Ｒは、凹凸により表面積を拡大させて、そこに付着される膜状の弁体７０の周辺部７１の付着力を向上させる。すなわち、膜状の弁体７０は、その周辺部７１を隔壁１２に形成されている凹凸面１２Ｒに付着させることにより、隔壁１２に強い付着力で付着して、隔壁１２に安定的に配置されるようになる。
【０１１３】
なお、図１６（ｃ）に示すように、隔壁１２の一方の表面にのみ凹凸面１２Ｒを形成してもよい。
以上説明したように、本実施形態の電池モジュールによれば、先の第１及び第５の実施形態で記載した効果（１）〜（４）及び（８）〜（１０）に加え、以下に列記するような効果が得られるようになる。
【０１１４】
（１２）隔壁１２の側部に付着する弁体７０は、隔壁１２の凹凸面１２Ｒにより強力に安定配置されるようになる。
（第８の実施形態）
以下、本発明にかかる電池モジュールの第８の実施形態について、図１７を参照して説明する。本実施形態では、膜状の弁体が複数の連通孔を覆うことが、先の第５の実施形態に対して相違する点であり、その他の構成については同様なので、以下では主に相違点について説明し、同様な構成には同一の符号を付してその説明を割愛する。
【０１１５】
図１７（ａ），（ｂ）に示すように、隔壁１２には、通気制御弁を構成する複数の連通孔１８Ｂが形成されている。そして、これら複数の連通孔１８Ｂを覆うように、先の第５の実施形態の膜状の弁体７０と同様の弾性材料からなる弾性体として通気制御弁を構成する１つの膜状の弁体７８が隔壁１２に塗布形成される。
【０１１６】
以上説明したように、本実施形態の電池モジュールによれば、先の第１及び第５の実施形態で記載した効果（１）〜（４）及び（８）〜（１０）に加え、以下に列記するような効果が得られるようになる。
【０１１７】
（１３）一つの弁体７８が複数の連通孔１８Ｂを覆うので、弁体７８の形成が容易である。また、複数の連通孔１８Ｂによれば、隣接する電槽１３の内部圧力の差に応じて、弁体７８が千切られて開放される連通孔１８Ｂの数が調整されるので、隣接する電槽１３の内部圧力の差が好適に解消されることはもとより、その後、隣接する電槽１３と間でのガスの移動を好適に抑制することができるようにもなる。
【０１１８】
（第９の実施形態）
以下、本発明にかかる電池モジュールの第９の実施形態について、図１８を参照して説明する。本実施形態では、弁体が液状体から形成されていることが、先の第２の実施形態に対して相違する点であり、その他の構成については同様なので、以下では相違点を中心に説明し、同様な構成には同一の符号を付してその説明を割愛する。
【０１１９】
図１８（ａ）に示すように、隔壁１２の上部１２ａには、上に開口を有する有底箱状の通気制御弁を構成する液状体収容部８０が設けられている。隔壁１２に結合される蓋体２０の隔壁２３には、隔壁１２の上面１２ｂに接合される下面２４とともに、液状体収容部８０に挿入されて、同液状体収容部８０をその底面を残して区画する突出部２６が設けられている。すなわち、図１８（ｂ）に示すように、隔壁１２に隔壁２３が結合されると、液状体収容部８０に隔壁２３の突出部２６が挿入されて、液状体収容部８０の底面に近い部分に隔壁１２の両側の電槽１３の内部空間を連通する通気制御弁を構成する連通孔が形
成される。
【０１２０】
本実施形態では、液状体収容部８０には、液状体からなり、液状体収容部８０の底部と隔壁２３の突出部２６との間に形成された高さＨ１１の連通孔を埋没させるように液面が高さＨ１２にされ、同連通孔を閉鎖する通気制御弁を構成する弁体としての弁用液状体８１が収容されている。弁用液状体８１は、オイルやグリスなどの液状体からなり、その粘度により弁用液状体８１としての動作圧力を調整することができる。なお、弁用液状体８１の粘度は、動作圧力を好適に調整できるのであれば低くても高くてもよい。また、動作圧力は、弁用液状体８１の量や、連通孔に対する液面の高さなどによっても調整することができる。
【０１２１】
次に、上記のように構成される流通制御弁の作用について、図１８（ｂ）及び（ｃ）を参照して説明する。
図１８（ｂ）に示すように、隣接する電槽１３の内部圧力の差が無い又は小さい場合、連通孔を封鎖する弁用液状体８１は、連通孔を閉鎖して隔壁１２の両側に設けられる電槽１３のガス（気体）の相互移動を禁止する。
【０１２２】
ところで、隔壁１２の両側にある各電槽１３のいずれか一方の内部圧力が上昇すると、図１８（ｃ）に示すように、弁用液状体８１の液面に印加される圧力（隣接する電槽１３の内部圧力の差と重力）がその液面を押圧し、液面を低下させて、すなわち液状体収容部８０の底面に近づける。そして液状体収容部８０の液面が突出部２６の下端（高さＨ１１）よりも低くい高さＨ１３になると、連通孔を通り隔壁１２の反対側にある液状体収容部８０の一部を押し開いて、一時的に、連通孔を開放する。これにより連通孔を介して内部圧力の高い電槽１３から内部圧力の低い電槽１３にガス（気体）が移動して、高い内部圧力の電槽１３の内部圧力が低下する。
【０１２３】
その後、電槽１３の内部圧力の低下とともに液状体収容部８０の液面を押し下げる力が弱くなり、液状体収容部８０の液面の位置が元に戻る（自然復帰する）につれて連通孔の開放面積も小さくなる。さらに、液状体収容部８０の液面の位置が元に戻る（自然復帰する）と、連通孔は連通が閉じられて閉鎖される。すなわち、ガス移動とともに連通孔が弁用液状体８１に没し、連通孔が閉鎖される。
【０１２４】
以上説明したように、本実施形態の電池モジュールによれば、先の第１及び第２の実施形態で記載した効果（１）〜（５）に加え、以下に列記するような効果が得られるようになる。
【０１２５】
（１４）連通孔が弁用液状体８１に没しているので、弁用液状体８１の表面にかかる圧力（隣接する電槽１３の内部圧力の差と重力）により弁用液状体８１が押され、連通孔が露出されると、ガスが連通孔を通過するようになる。これにより、通常は隣接する電槽１３のガスの移動を防止するとともに、隣接する電槽１３の圧力の差が大きくなるとガスを移動させることができるようになる。また、弁用液状体８１の粘性によりガスを移動させる際の圧力を調整することができるようにもなる。
【０１２６】
さらに、弾性体からなる弁体は変形後、水滴などの付着の影響で動作圧が変化することがあるが、本実施形態では液量が変化しないため、連通した後も動作圧に変化がない。
（１５）液状体収容部８０を区画することによっても連通孔が形成され、隔壁１２の両側にそれぞれ液状体収容部を配置することができるようになるので、隔壁１２への液状体収容部の形成が容易になる。
【０１２７】
（第１０の実施形態）
以下、本発明にかかる電池モジュールの第１０の実施形態について、図１９を参照して説明する。本実施形態では、蓋体における隔壁の突出部に連通孔が形成されていることが、先の第９の実施形態との相違点であり、その他の構成については同様なので、以下では相違点を中心に説明し、同様な構成には同一の符号を付してその説明を割愛する。
【０１２８】
図１９（ａ）に示すように、蓋体２０の隔壁２３には、挿入された液状体収容部８０の底面に達して同液状体収容部８０を区画する突出部２７が設けられている。突出部２７には、同突出部２７の両表面を貫通する通気制御弁を構成する連通孔２８が形成されている。すなわち、図１９（ｂ）に示すように、隔壁１２に隔壁２３が結合されると、液状体収容部８０に隔壁２３の突出部２７が挿入されて、液状体収容部８０の内部に隔壁１２の両側の電槽１３の内部空間を連通する連通孔２８が形成される。また、液状体収容部８０には、連通孔２８を埋没させる位置まで弁用液状体８１が収容されている。
【０１２９】
これにより、隣接する電槽１３の内部圧力の差が無い又は小さい場合、弁用液状体８１は連通孔２８を閉鎖して隔壁１２の両側に設けられる電槽１３のガス（気体）の相互移動を禁止する。一方、隔壁１２の両側にある各電槽１３のいずれか一方の内部圧力が上昇すると、図１９（ｃ）に示すように、弁用液状体８１の液面が連通孔２８の位置まで押圧されて、連通孔２８が開放される。その後、電槽１３の内部圧力の低下により、弁用液状体８１の液面が上昇して連通孔２８が閉鎖される。
【０１３０】
以上説明したように、本実施形態の電池モジュールによれば、先の第１、第２及び第９の実施形態で記載した効果（１）〜（５）及び（１４），（１５）に加え、以下に列記するような効果が得られるようになる。
【０１３１】
（１６）隔壁２３の突出部２７に連通孔２８を形成するのみなので、これによって通気制御弁の構成をより簡易にすることができる。
（第１１の実施形態）
以下、本発明にかかる電池モジュールの第１１の実施形態について、図２０を参照して説明する。本実施形態では、突出部に形成される連通孔が溝であることが、先の第１０の実施形態との相違点であり、その他の構成については同様なので、以下では相違点を中心に説明し、同様な構成には同一の符号を付してその説明を割愛する。
【０１３２】
図２０（ａ）に示すように、突出部２７には、同突出部２７の両表面に渡る溝として連通溝２９が形成されている。すなわち、図２０（ｂ）に示すように、液状体収容部８０の内部に隔壁１２の両側の電槽１３の内部空間を連通する連通溝２９からなる連通孔が形成される。また、液状体収容部８０には、連通溝２９を埋没させる位置まで弁用液状体８１が収容されている。
【０１３３】
なお、連通溝２９からなる連通孔の作用は、先の第１０の実施形態の連通孔２８と同様である。すなわち、隣接する電槽１３の内部圧力の差が無いか又は小さい場合、弁用液状体８１は連通溝２９を閉鎖して隔壁１２の両側に設けられる電槽１３のガス（気体）の相互移動を禁止する。一方、隔壁１２の両側にある各電槽１３のいずれか一方の内部圧力が上昇すると、図２０（ｃ）に示すように、弁用液状体８１の液面が連通溝２９の位置まで押圧されて、連通溝２９（連通孔）が開放される。その後、電槽１３の圧力の低下により、弁用液状体８１の液面が上昇して連通溝２９が閉鎖される。
【０１３４】
以上説明したように、本実施形態の電池モジュールによれば、先の第１、第２及び第９の実施形態で記載した効果（１）〜（５）及び（１４），（１５）に加え、以下に列記するような効果が得られるようになる。
【０１３５】
（１７）隔壁２３の突出部２７に連通溝２９を形成するのみなので、これによっても通気制御弁の構成をより簡易にすることができる。
（第１２の実施形態）
以下、本発明にかかる電池モジュールの第１２の実施形態について、図２１を参照して説明する。本実施形態では、連通孔の周囲に液状体を保持する構成が設けられた点が、先の第１の実施形態に対して相違する点であり、その他の構成については同様なので、以下では相違点を中心に説明し、同様な構成には同一の符号を付してその説明を割愛する。
【０１３６】
図２１（ａ），（ｂ）に示すように、隔壁１２の上部１２ａには、連通方向の断面が矩形形状の通気制御弁を構成する連通孔１８Ｄが設けられている。また隔壁１２の上部１２ａには、連通孔１８Ｄの下側にあって、連通方向に沿って水平に拡がるように設けられた通気制御弁を構成する液状体支持板８５と、連通孔１８Ｄの上側にあって、液状体支持板８５に対向する通気制御弁を構成する液状体誘導板８６とが設けられている。液状体支持板８５はその上平面８５ａを液状体誘導板８６に対向させている。液状体誘導板８６は、液状体支持板８５の上平面８５ａに対向する対向面８６ａを有し、対向面８６ａは、連通孔１８Ｄに対応する位置を下方の頂点とする下に凸の円弧に形成されている。このため、液状体誘導板８６の対向面８６ａは、連通方向に対して連通孔１８Ｄからの距離が離れることに応じて対向する平面である液状体支持板８５との間の距離が離間するようになっている。すなわち、連通孔１８Ｄの位置において、液状体支持板８５と液状体誘導板８６の間の距離は、最短距離Ｈ２１である一方、連通孔１８Ｄから連通方向に最も離れた位置における液状体支持板８５と液状体誘導板８６の間の距離は、最短距離Ｈ２１よりも長い最長距離Ｈ２２となっている。
【０１３７】
なお、対向面８６ａは、隔壁１２の表面に沿う方向に対して連通孔１８Ｄからの距離が離れることに応じて対向する平面である液状体支持板８５との間の距離が離間するように形成されてもよいし、連通孔１８Ｄを下の頂点とする球面状に形成されてもよい。
【０１３８】
図２２（ａ），（ｂ）に示すように、液状体支持板８５と液状体誘導板８６との間には、通気制御弁を構成する弁体としての弁用液状体８８が配置されている。弁用液状体８８は、液状体支持板８５と液状体誘導板８６との間において移動可能になっており、通常、毛細管現象などにより液状体支持板８５と液状体誘導板８６との間の距離が最も短い最短距離Ｈ２１である位置とその近傍に自動的に移動保持されるようになっている。すなわち、弁用液状体８８は、最短距離Ｈ２１である連通孔１８Ｄを閉鎖するように、液状体支持板８５と液状体誘導板８６との間に保持される。弁用液状体８８は、オイルやグリスなどの液状体からなり、その粘度により弁用液状体８８としての動作圧力を調整することができる。なお、弁用液状体８８の粘度は、動作圧力を好適に調整できるのであれば低くても高くてもよい。また、動作圧力は、弁用液状体８８の量や液状体支持板８５と液状体誘導板８６の間の距離などによっても調整することができる。
【０１３９】
次に、上記のように構成される流通制御弁の作用について、図２２及び図２３を参照して説明する。
図２２（ａ），（ｂ）に示すように、隣接する電槽１３の内部圧力の差が無い又は小さい場合、連通孔１８Ｄを封鎖する弁用液状体８８は、連通孔１８Ｄを閉鎖して隔壁１２の両側に設けられる電槽１３のガス（気体）の相互移動を禁止する。
【０１４０】
ところで、隔壁１２の両側にある各電槽１３のいずれか一方の内部圧力が上昇すると、図２３（ａ），（ｂ）に示すように、弁用液状体８８の液側面に印加される内部圧力がその液側面を押圧して隔壁１２に押し付けるように移動させる。その際、弁用液状体８８には、弁用液状体８８の一部が分離されることなどにより連通孔１８Ｄまでのガス通路が形成され、そのガス通路が連通孔１８Ｄまで到達すると、ガスの内部圧力により連通孔１８
Ｄの反対側にも同様のガス通路を形成して、一時的に連通孔１８Ｄを開放する。これにより連通孔を介して内部圧力の高い電槽１３から内部圧力の低い電槽１３にガス（気体）が移動して、高い内部圧力の電槽１３の内部圧力が低下する。
【０１４１】
その後、電槽１３の内部圧力の低下とともに弁用液状体８８の液側面を押圧する力が弱くなり、弁用液状体８８が毛細管現象などにより位置が元に戻る（自然復帰する）につれて連通孔１８Ｄの開放面積も小さくなる。さらに、弁用液状体８８の配置位置が元に戻る（自然復帰する）と、連通孔１８Ｄは閉鎖される。
【０１４２】
以上説明したように、本実施形態の電池モジュールによれば、先の第１及び第２の実施形態で記載した効果（１）〜（５）に加え、以下に列記するような効果が得られるようになる。
【０１４３】
（１８）弁用液状体８８が配置される液状体支持板８５と液状体誘導板８６との間の距離は、連通孔に近い部分では短く、離れるにつれて長くなる。これにより、弁用液状体８８は、毛細管現象などにより、液状体支持板８５と液状体誘導板８６との間の距離の短い部分に移動しつつ、当該距離の短い部分にある連通孔１８Ｄの開放面積を縮小（閉鎖等）する。一方、弁用液状体８８は隣接する収容部の内部圧力の差が大きくなると液状体支持板８５と液状体誘導板８６の間を移動されて連通孔１８Ｄの開放面積を拡大（開放）する。これにより、通常は閉鎖して隣接する電槽１３との間のガスの移動を禁止する一方、隣接する電槽１３の圧力の差が大きくなると連通孔１８Ｄを開放して隣接する電槽１３の圧力の差を小さくするようにすることができる。これにより、通気制御弁の設計自由度が向上されるようになる。
【０１４４】
なお上記各実施形態は、以下の態様で実施することもできる。
・上記各実施形態では、連通孔の開放面積が拡大（連通孔が開放）された後、弁体が連通孔の開放面積を縮小（連通孔を閉鎖もしくは小さく）させる場合について例示した。しかしこれに限らず、一旦開放された連通孔を閉鎖しなくてもよい。例えば、図２４（ａ），（ｂ）に示すように、小径の端面５３とそれよりも大きな形の大径の端面５２を有するテーパ面５１からなる、頂部のない円錐型の弁体５０を、図２５（ａ）に示すように、隔壁１２に設けた連通孔１８に嵌合挿入させてもよい。この場合、小径の端面５３側の電槽１３の圧力が高くなったとき、連通孔１８の内周面に当接されているテーパ面５１が変形され、それにより弁体５０と連通孔１８の内周面との間に緩みが生じ、図２５（ｂ）に示すように、弁体５０が連通孔１８から抜け落ちるようにしてもよい。これによっても、当初は、電槽１３の内部空間におけるガスの相互移動を防止し、その後、隣接する電槽１３間の内部圧力の差に応じて弁体５０が変形し、電槽１３の内部圧力の差が小さくされるようになる。これによれば、弁体の構造の自由度が向上して、通気制御弁の設計自由度が向上するようになる。
【０１４５】
・上記各実施形態では、６個の単電池１１を電気的に直接接続して構成される電池モジュールについて例示した。しかしこれに限らず、電池モジュールを構成する単電池の数は、６個よりも少なくても、逆に６個よりも多くてもよい。これにより、電池モジュールへの適用範囲が拡げられる。
【０１４６】
・上記各実施形態では、安全弁２１が１個の場合について例示したがこれに限らず、電槽の数よりも少ない数であれば、安全弁は１個より多くてもよい。これにより、電池モジュールの設計自由度が高められる。
【０１４７】
また、上記特許文献１のように、連設配置された収容部（電槽）のそれぞれにガス放出用の安全弁（ガス排出弁）がそれぞれ設けられているとともに、これらの安全弁が複数の
収容部の上方に１つ設けられた共通空間であるガス集合部に接続されていてもよい。さらに各安全弁からの放出ガスは前記ガス集合部を通り、同ガス集合部に接続された排出チューブから排出される構造であってもよい。
【０１４８】
・上記各実施形態では、連通孔１８が貫通孔１７よりも高い位置に設けられる場合について例示した。しかしこれに限らず、連通孔は、貫通孔よりも低い位置に設けられてもよい。特に、電解液を極板間に保持しているニッケル水素電池は、電槽に多量の電解液が流出していないので貫通孔を低い位置に設けることもできる。これにより、電池モジュールの設計自由度も高められる。
【０１４９】
・上記第１〜３の実施形態では、連通孔（１８）は円形の断面形状である場合について例示した。しかしこれに限らず、連通孔の断面形状は、弁体が全周を当接させることができるのであれば、断面形状が円形状ではなく、楕円形状や、矩形形状などであってもよい。これにより、通気制御弁の設計自由度が高められる。
【０１５０】
・上記第４の実施形態では、上部溝１９Ａが矩形の断面形状である場合について例示した。しかしこれに限らず、貫通溝の断面形状は、弁体が全周を当接させることができるのであれば、断面形状が矩形ではなく、円形状や、楕円形状などであってもよい。これにより、通気制御弁の設計自由度が高められる。
【０１５１】
・上記第４の実施形態では、弁体６０に内部貫通穴６５が形成される場合について例示したが、これに限らず、弁体に内部貫通穴が形成されなくてもよい。この場合、弁体と連通孔の内面との間の当接圧力を低くすることで、弁体の表面と連通孔の内面との間に通気空間を形成することができるようにもなる。
【０１５２】
・上記第１〜８の実施形態では、弁体がゴムなどの弾性部材からなる場合について例示した。しかしこれに限らず、弾性部材は、内部圧力の差により変形可能なものであれどのような材料からなるものであってもよく、例えば、パッキンや独泡スポンジなどの樹脂材料からなるものであってもよい。これによりに、通気制御弁の設計自由度などが高められるようになる。
【０１５３】
・上記第１及び３の実施形態では、連通孔１８は隔壁１２に形成される場合について例示した。しかしこれに限らず、連通孔は蓋体の隔壁に形成されてもよい。これにより、通気制御弁の設計自由度が高められる。
【０１５４】
・上記各実施形態では、ニッケル水素電池からなる電池モジュールについて例示したが、これに限らず、電池モジュールは、ニッケルカドミウム電池やリチウムイオン電池等の二次電池（蓄電池）であってもよい。これにより、この通気制御弁と、それを用いた電池モジュールの適用範囲が拡げられる。
【符号の説明】
【０１５５】
１０…一体電槽、１１…単電池、１２…隔壁、１２ａ…上部、１２ｂ…上面、１２Ｒ…凹凸面、１３…容器としての電槽、１４…極板群、１４ａ，１４ｂ…リード部、１５，１６…集電板、１５Ａ，１６Ａ…接続突部、１７…貫通孔、１８，１８Ａ，１８Ｂ，１８Ｃ，１８Ｄ…連通孔、１９…上面溝、１９Ａ…上部溝、２０…蓋体、２１…安全弁、２２…センサ装着穴、２３…隔壁、２４…下面、２５…下面溝、２６，２７…突出部、２８…連通孔、２９…連通溝、３０…弁体、３１…嵌合部、３２…係止部、３３…テーパ面、３４…端面、４０…弁体、４１…嵌合部、４２…係止部、４３…テーパ面、４４…端面、４５…内部貫通穴、５０…弁体、５１…テーパ面、５２…端面、５３…端面、６０…弁体、６１…上面、６２…側面、６３…凹溝、６４…正面、６５…内部貫通穴、７０…弁体、７１
…周辺部、７２…中央部、７３…裂孔、７５…弁体、７６…周辺部、７７…中央部、７８…弁体、８０…液状体収容部、８１…弁用液状体、８５…液状体支持板、８５ａ…上平面、８６…液状体誘導板、８６ａ…対向面、８８…弁用液状体、ＴＭ…接続端子。
【図１】
0005563490.tif 000002
【図２】
0005563490.tif 000003
【図３】
0005563490.tif 000004
【図４】
0005563490.tif 000005
【図５】
0005563490.tif 000006
【図６】
0005563490.tif 000007
【図７】
0005563490.tif 000008
【図８】
0005563490.tif 000009
【図９】
0005563490.tif 000010
【図１０】
0005563490.tif 000011
【図１１】
0005563490.tif 000012
【図１２】
0005563490.tif 000013
【図１３】
0005563490.tif 000014
【図１４】
0005563490.tif 000015
【図１５】
0005563490.tif 000016
【図１６】
0005563490.tif 000017
【図１７】
0005563490.tif 000018
【図１８】
0005563490.tif 000019
【図１９】
0005563490.tif 000020
【図２０】
0005563490.tif 000021
【図２１】
0005563490.tif 000022
【図２２】
0005563490.tif 000023
【図２３】
0005563490.tif 000024
【図２４】
0005563490.tif 000025
【図２５】
0005563490.tif 000026